(57)【特許請求の範囲】
【請求項１】
ソース信号を得る装置と、
前記ソース信号の表す画像を表示するディスプレイ装置と、
前記ソース信号の前記画像を、前記画像の複数個を記憶できるバッファメモリに書き込むことおよび前記バッファメモリから読み出すことによって、前記ディスプレイ装置への前記ソース信号の印加の遅延を可能にする内部装置と、
要求に基づいて前記ソース信号の読み出しを繰り返すようにして前記遅延の量を急に増大させる装置と、
次の要求を満足するように遅延量を前記遅延の初期値に自動的かつ漸進的に回復するために前記バッファメモリ内の画像の読み出しを加速する装置と、
を備えたことを特徴とするテレビジョン受信機。
【請求項２】
前記内部装置は、書込み可能及び消去可能な情報媒体と、記録ヘッドを通過しかつ読取りヘッドを通過して前記媒体の繰り出しを行う手段と、前記記録ヘッドによって走査された前記媒体の領域の位置を変更するために前記読取りヘッドを移動する装置とを有することを特徴とする請求項１に記載の受信機。
【請求項３】
前記媒体に書込む前に前記ソース信号をディジタル化する装置が設けられていることを特徴とする請求項２に記載の受信機。
【請求項４】
前記ヘッド及び前記媒体は、磁気光タイプの書込み／読取り装置を形成することを特徴とする請求項２または３に記載の装置。
【請求項５】
前記バッファメモリは、マイクロプロセッサによって管理されたランダムアクセスメモリであることを特徴とする請求項１乃至４のいずれかに記載の受信機。
【請求項６】
前記バッファメモリは、半導体メモリであることを特徴とする請求項１乃至５のいずれかに記載の受信機。
【請求項７】
前記メモリはモジュールを追加することによって拡張されることを特徴とする請求項５または６に記載の受信機。
【請求項８】
書込み／読取りアドレッシング装置と結合されたバッファメモリを介してテレビジョン受信機における一連の動画像の遅延伝達の方法であって、前記バッファメモリは、前記一連の複数の画像を記憶し、選択された要求に応じて、前記一連の動画像の一部の読取りを繰り返すようにして得られる遅延の量を突然増加させ、初期値に戻るように自動的かつ漸進的に遅延の値を回復するために前記バッファメモリ内の画像の読み出しを加速することを特徴とするテレビジョン受信機における一連の動画像の遅延伝達の方法。
【請求項９】
前記画像を表す信号は、前記バッファメモリに書き込むことに先立ち、圧縮処理を受け、且つ前記バッファメモリの読取りから生ずる信号は、ディスプレイ装置に加えられる前に、逆の処理を受けることを特徴とする請求項８に記載の方法。
【発明の詳細な説明】
本発明は、テレビジョン受信機に関する。一連の動画像をテレビジョン受信機のスクリーン上で見るとき、受信信号は、視覚装置に直接送られる。この方法において、テレビジョンの視聴者は、受信された番組の選択によって律則され、もしこの選択に立ち入ることを望むならば、番組を単に変えればよい。ビデオレコーダを使用するときに、磁気テープに記録された番組の一部分を再生し、関心のない部分を飛び越すことができる。これらの機能は、磁気ヘッドを通過する磁気テープの繰り出しの条件を修正することによって得られる。ビデオレコーダを使用することが望ましくないとき、これらの機能を得るためには、テレビジョンセット内に、受信信号を形成する画像の再生を規定時間遅延することを可能にする手段を設けることが必要である。まさに一部分の再生は、その内容がある時間に亘って受信機に保存され、一部分を飛び越すことは、チューナまたはテレビジョン周辺ソケットからの信号の遅延処理の減少としてのみ考慮することができる。したがって、テレビジョンセットは、多数の画像を記憶することができるバッファメモリを具備しなければならず、画像のグループ及び予め存在する再生状態の知覚できない自動的な回復に向かう時間にジャンプを可能にするアドレス制御装置を具備していなければならない。
したがって、本発明の主題は、一連の動画像を表すソース信号を得る手段と、前記一連の動画像を見ることができるディスプレイ装置とを有するテレビジョン受信機において、遅延を受けた前記ソース信号を前記ディスプレイ装置へ加えることができる内部装置を有し、前記遅延の量は、要求時に値を変化し、続いて起こる要求を満足させるために自動的に初期値に戻り、数画像を記憶する容量を有するバッファメモリによって作られることを特徴とするテレビジョン受信機である。
本発明の主題は、書き込みおよび読みとりアドレッシング装置に関連するバッファメモリを介して一連の動画像を遅延して送信を行う手段を含み、前記遅延の量は、要求時に値を急に変化し、続いて起こる要求を満足させるために自動的に初期値に再び戻り、前記バッファメモリは一連の数画像を記憶するのに十分な容量を有し、前記遅延量の変化は、前記一連の部分を繰り返す可能性およびスキップする可能性を与えるように肯定的または否定的な選択によって行われることを特徴とする。
本発明は、以下の添付図面の説明によって更によく理解することができる。
第１図は、本発明によるテレビジジョン受信機の内部手段及び一群の画像のスキップを行うことができる機能への適用を概略的に示す。
第２図は、再生機能に適用される第１図の手段を表す。
第３図は、バッファメモリと、前記メモリにロードされおよび抽出された画像を圧縮し／伸張する手段を備えたテレビジョン受信機のダイヤグラムである。
第４図は、上記図面に示されたバッファメモリのアドレスを管理する装置の操作手順を具体的に示したフローチャートである。
第１図（ａ）において、ソースＳから始まった一連の動画像を記憶することができるメモリ１が示されている。このメモリは、画像Ａ，Ｂ，Ｃ．．．ＰＱＲの記憶に配分されるＮ個の領域を含み、これらの領域は、周期的な操作をより良く示すために閉ループとして配置される。メモリ１に書込まれる信号Ｓ（ｔ）は、他のストリングＡ１乃至Ｒ１が続くＮ個の画像Ａ，Ｂ，Ｃ．．．ＰＱＲのストリングを含む。書込み機能を表現するために、メモリ１の領域に信号Ｓ（ｔ）のローディングを行うアーム２を示した。このアームは、時計方向に回転し、各新しい画像に新しい領域をアドレス指定する。アーム２の制御は、書き込みアドレッシング回路３によって書き込みラインＥを介して供給されるアドレス領域に依存する。第１（ａ）図において、アーム２が頂点を指しているとき、シーケンスＡ，Ｂ，Ｃ．．．ＰＱＲがロードされ、このロードの始めの正確な時間は、第１図のタイムチャートにおいて参照符号７で指示されている。また、メモリ１の読取りは、時計方向に回転する他のアーム４によって示されるが、アーム２に比べて遅延される。第１（ａ）図において、シフトは半回転である。読取りアドレシングは、読み取りアドレシング回路５に接続されたラインＬによって表現される。読取りは、信号Ｓ（ｔ）と同様、画像Ａ，Ｂ，Ｃ，．．．ＰＱＲの順序の信号Ｔ（ｔ）を生じさせるが、符号７の時刻の後に、その回復は、画像の間隔Ｘを開始する。読み取り信号Ｔ（ｔ）は、メモリ１及びソース信号Ｓ（ｔ）を生じる装置を具備したテレビジョンセットのディスプレイ装置６に送られる。正常操作の段階は、画像の間隔Ｘのこのシフトの維持に対応すると推定される。
前述した内容に従って、メモリが、アーム２の一回転の後に再び新しくされる。読取りと書込みとの間のタイムシフトが一定であり、新しくされた期間を越えないときに、遅延された番組がテレビジョンセットの画面上に観察される。なぜならば、画像は、表示される前にソースＳによって出力されるからである。
テレビジョンセットの使用者は、早送りの制御が操作されているときにビデオレコーダで生じると同じように、番組の一部をスキップすることを望む。この早送りの機能は、例えば、広告宣伝時間枠によって分離された２つの番組を時間内につなぐことを可能にし、この時間枠は、つなぎが突然に起こり、ジャンプが適当な大きさを有するならば、全体が消去される。この機能は、第１図（ｂ）に示されており、第１図（ｂ）において、読取りアーム４は、書込みと読取りを分離する間隔を短くするために書込みアーム２に向かって進められることが示される。間隔は、ＸからＸ′に向い、その瞬間にシーケンスＡ，Ｂ，Ｃ．．．ＰＱＲの読取りが開始され、画像Ａ乃至Ｈは、早くなった速度で読取られ、第１図（ｂ）において示すように、断片が瞬間的なものであれば、完全にスキップされる。第２の段階は、本発明の第１の特徴を示す。
本発明の第２の特徴は、早送り制御を使用した後、遅延Ｘを自動的に暫時的に初期値に回復する。したがって、シーケンスＡ，Ｂ，Ｃ．．．ＰＱＲの残りが表示され、符号８で示された時刻でシーケンスＡ1−Ｒ1のロードが始まる。第１図（ｃ）において、ロード領域と読取り領域との間のシフトは１単位ずつ増加される。これは、画像Ｒの読取りの複写を含み、その画像Ｒの読取りには、シーケンスＡ1乃至Ｒ1の読取りが直ぐに続く。読取りシーケンスに比べて書込みシーケンスの遅延がＸ″＝Ｘ′＋１になることに留意すべきである。シーケンスＡ2乃至Ｒ2を読取るとき、画像Ｒ1が複写され、これは、Ｘ″＋１まで遅延を行う効果を有する。ある時間後に、遅延Ｘが回復される。これは、回復段階を終了し早送り制御の再使用を可能にする。
第１図（ａ）に示された初期の状況からスタートして、テレビジョンセットのスクリーン上に表示される番組の断片を見ることができる。同様にビデオレコーダに提供される機能は、瞬時の再生制御に対応する。アーム２に関するアーム４の遅延を増加することによって第１図の装置を得ることができる。これは、第２図に示した本発明の第３の特徴を形成する。
第２図（ａ）において、第１図（ｂ）の部分に対応する状況が再び繰返される。第２図において、読取りアーム４は、アーム２の丁度脇に来るように反時計回りに旋回することが示されている。この動きによって、読取り信号は、大きな遅延Ｘを認識する。画像Ｈが表示されたとき、この変化が突然に起こるならば、第２図（ｂ）において、次の画像が再びＡであることに留意すべきである。したがって、画像Ａ乃至Ｈを含む断片を再び見ることが可能になる。
本発明の第４の特徴によれば、瞬時に再生を行った後に、だんだんと初期の状況に戻る必要がある。第２図の詳細（ｃ）による時刻８でスタートする第２の書込みサイクル中、その値Ｘ″がＸ′より１単位未満の読取り遅延を得るように作られる。第２図（ａ）及び（ｃ）で表示された読取り信号Ｔ（ｔ）の差は、次のシーケンスＡ1乃至Ｑ1が画像Ｑの直後に読取られるように、画像Ｒがスキップされる。１つの画像のこの除去は、その初期値Ｘまで遅延を戻すようにサイクルを繰返す。
早送りと再生の２つの制御の内の一方に制限するとき、アーム４の初期状態は、アーム２の書き込み開始位置の直前または直後に位置させることができる。第１図及び第２図において、２つの可能性があるが、選択は、双方の制御の準備と、遅延の大きさを２倍にしてそれらの一方のみに接近することの間で行うことができる。
前述した説明において、信号源Ｓ、バッファメモリ１、制御回路３及び５及び表示装置６の協働する方法が示された。画像について当てはまるものが、サンプリング、量子化及び時分割マルチプレクシング中のビデオ信号に関連する付帯的な音に加えられる。本発明を実施するテレビジョンセットは、第３図に示す手段からなる。
音声／映像信号がチューナ９によって生じるか、またはテレビジョン周辺のソケットから得られる。カラー及びサウンドデコーディング回路１０は、これらの信号を処理し、音信号Ｗに関連している画像成分Ｙ，Ｕ，Ｖに配分する。これらの信号は、それらを量子化し、多重化するアナログディジタル変換器に加えられる。サンプリング及び多重化された音声信号は、上述したような遅延読取り信号を形成する目的で専用のメモリに送られる。変換器１１から出力されたディジタルビデオ信号は、スイッチ１２の一方の端子に送られ、その端子は、上記信号をエンコーダ／デコーダ回路１５に振分け、この回路１５は、上述した装置１，３及び５と結合するメモリ１６に画像を格納するために、１乃至１５Ｍビット／ｓのビット速度を得ることができるようにする圧縮及び伸張操作を実行する。このメモリは、例えば、マイクロチップカードの形態をとるモジュールを付加することによって達成される拡張可能な容量を有する。スイッチ１２の他の端子は、一方でフレームメモリ１７に接続され、ディジタル／アナログ変換器１３の入力端に接続される。変換器１３の出力端は、ディスプレイ装置６に接続されたＲＧＢマトリックス回路１４の入力端に接続されている。ブロック線図で示す第３図の例において、エンコーダ／デコーダ回路１５は、１５画像／ｓの速度で半２重モードで動作するＪＰＥＧ−ＭＰＥＧプロセッサ（イントライメージ・圧縮，ＭＰＥＧと互換性がある）である。このスイッチ１２は、テレビジョン基準に依存する３０Ｈｚまたは２５Ｈｚで切替える。この実施例によれば、フレームメモリは、フリッカを避けるために２回読まれる。本発明の分野から逸脱することなく、全二重操作を観察することができる。この場合、第３図のダイヤグラムは、もはやスイッチ１２を含まず、符号１５によって示される単純なエンコーダが使用される。メモリ１６とディジタル／アナログ変換器１３との間にデコーダを設けなければならない。
前述したような調整可能な時間シフトでの遅延読取りの実施は、一分台の時間のジャンプを行うように、例えば４つの１６Ｍビットのチップを含む半導体メモリに基いている。
本発明の分野から逸脱することなく、例えば、空隙書き込みヘッド及び読み出しヘッドに関連したエンドレステープを含む磁気メモリを用いることが期待される。これらのヘッドを分離するテープの長さは、上述した機能を生ずるように変更することができ、閉ループの短いテープと、特定のテープ搬送機構とを有する内部ビデオレコーダ用の設備を取付けることができる。万一の場合に備えて、テープに書込む情報をディジタル化する必要はない。
また、２進形態で動画像のシーケンスを記憶する書込みヘッドによって使用されるディスクの内側の領域のいずれかに読取りヘッドを配置するように独立した読取りヘッド及び書込みヘッドを備えた磁気光ディスク記録／再生装置をテレビジョン受信機内に配置することも可能である。一定の角速度と一回転に１つの画像の記録を行うディスクを採用するとき、かなり大きな半径方向への移動を通して、読取りの遅延を迅速に変化させ、トラックからトラックにジャンプすることによって初期値に戻す。計算に使用される種類のハードディスクは、独立ヘッドがデータを書込み及び読取る状態において、バッファメモリとして考えられる。
多数の画像に関係する遅延読取りを実行するために、バッファメモリが圧縮信号の形態で各画像を記憶するように、適当なコーディングを使用する必要がある。デコーディング後に回復した画像は、通常元の画像よりも低い品質である。したがって、一連の動画像の一部分を検討するために多数の画像を保存するバッファメモリ装置を用いることは利点があるが、通常時においては、遅延される経路に従わない。この変形例において、信号Ｓ（ｔ）は、最も可能な画像品質を保持するためにディスプレイ装置６に直接送信される。瞬時の再生モードが存在するときのみ、ディスプレイ装置は、バッファメモリに切り換えられる。早送りモードにおいて、通常、バッファメモリの内容が用いられ、その結果、画像の品質が、圧縮／伸張処理に帰着する。使用者は、画像品質と、圧縮因子を固定する制御したがって各画像に割り当てられたメモリ領域の大きさによる遅延量との間の妥協を採用することができる。
第４図のフローチャート（ａ）及び（ｂ）は、マイクロプロセッサがバッファメモリ１を管理するために実行される処理の主要なステップを示す。このバッファメモリは、Ｋ個の画像を記憶することができると仮定すれば、遅延は、書込みアドレスと読取りアドレスとの間の画像の数を表す値Ｄを最初にとり、例えば、Ｄは、容量の半分Ｋ／２に接近するであろう。瞬時の再生機能は、高々Ｑ個の連続的な画像に関係するが、早送り機能はＲ個の画像に関係する。書込みアドレスは、変数Ｎから得られる。第４図（ａ）において、Ｐを読取りアドレスとしたとき、初期状態Ｎ＝Ｄ及びＰ＝０から開始して、ステップ１８の動作が実行される。すなわち、第１の画像の書き込みアドレスを得るためにいわゆるＮモジュロ（Ｋ）である。ステップ１９は、ソース画像のこのアドレスでのローディングを指示し、ステップ２０は、Ｎを増大させる。（ｂ）において示した処理は、読取りアドレスに適用された処理を示している。「再生」または「早送り」機能を要求しない読取り状態にあるとき、ステップ２１，ステップ２２，ステップ２７及びステップ３３の内容が実行される。これは、読取りアドレスを計算し、それを表示するためにこのアドレスで画像を抽出し、Ｐを１だけ増加する。条件ステップ２３，２４及び２８においては、「ＮＯ」の場合となる。書込み及び読取りアドレスの同時的な増大は、Ｎ−Ｐの差がＤに等しいように行われる。
再生が指示されると、条件ステップ２３は、オペレーションＸ＝−ＸRを指示し、ここでＸは、ステップ３３で再び見いだされる装置変数である。値−ＸRは、高々Ｑに等しい。読取りアドレスは、処理の次のサイクルからスタートするように変化し、これは、条件ステップをステップ２８からステップ２９に変え、変数Ｎモジュロ（Ｙ）がゼロならば、ステップ３１または３２の動作を実行するためにステップ２９からステップ３０に移り、Ｐを増大または減少する。この動作段階によって、生じる読取りアドレスの変化が、Ｙ個の画像毎に１つの画像のシフトの速度で気づかないくらいに行われる。
同じ種類の動作は、早送りの場合に適用されるが、それは、Ｘが上限Ｒを有する値＋ＸAをとるステップ２６までのステップを含む。条件ステップ３０は、動画像列内への画像の挿入または除去に気づくことなく、読み取りアドレスのシフトが行われ、シフトＤを回復するように増大または減少を選択する。
言うまでもなく、ハードウェアに組み込まれたロジックの決定によって、特に適切なアドレスカウンタによって書き込み及び読取りアドレスの決定を行うことができる。
【図１】
0003877759.tif 000002
【図２】
0003877759.tif 000003
【図３】
0003877759.tif 000004
【図４】
0003877759.tif 000005